(57)【特許請求の範囲】
【請求項１】
無線バックホール経路上の送信協調のための方法（４００）であって、前記無線バックホール経路が、少なくとも、ネットワークノードであって、そのアップストリームノードおよびダウンストリームノードのそれぞれへのリンクを有するネットワークノードを備え、時分割多重方式が前記無線バックホール経路のリンク上の送信に適用され、
前記方法は、前記ネットワークノードにおいて実行され、
前記無線バックホール経路のリンク上の、前記ネットワークノードへの送信および前記ネットワークノードからの送信に対してサブフレーム割付を決定すること（Ｓ４１０）と、
前記ダウンストリームノードから前記ネットワークノードへの第１サブフレームの直後のサブフレームからの前記第１サブフレームへの干渉を回避するために、前記決定されたサブフレーム割付に基づいて、前記第１サブフレームに保護期間（ＧＰ）を挿入する命令を、前記第１サブフレームの直後のサブフレームが前記ネットワークノードから前記アップストリームノードへの送信のために使用されることになっているときに、前記ダウンストリームノードに送信すること（Ｓ４２０）と
を含む方法（４００）。
【請求項２】
前記命令が、アップリンクグラントを介して送信される、請求項１に記載の方法（４００）。
【請求項３】
前記命令が、前記第１サブフレームの端部に前記ＧＰを挿入することを前記ダウンストリームノードに命令する、請求項１又は２に記載の方法（４００）。
【請求項４】
第２サブフレームの直後のサブフレームからの前記第２サブフレームへの干渉を回避するために、前記サブフレーム割付に基づいて、前記ネットワークノードから前記ダウンストリームノードへの前記第２サブフレームにＧＰを挿入することをさらに含む、請求項１に記載の方法（４００）。
【請求項５】
前記ＧＰが、前記第２サブフレームの直後の前記サブフレームが前記ネットワークノードと前記ダウンストリームノードとの間の送信のために使用されないことになっているときに、前記第２サブフレームに挿入される、請求項４に記載の方法（４００）。
【請求項６】
前記ダウンストリームノードへの送信および前記ダウンストリームノードからの送信に対して別のサブフレーム割付を決定すること
をさらに含み、前記ＧＰが、前記第２サブフレームの直後の前記サブフレームが前記ダウンストリームノードから別のノードへの送信のために使用されることになっているときに、前記第２サブフレームに挿入される、請求項４または５に記載の方法（４００）。
【請求項７】
前記ネットワークノードから前記ダウンストリームノードへの第２サブフレームの直後の、前記ネットワークノードから送信されたサブフレームとの重複を回避するために、前記サブフレーム割付に基づいて、前記第２サブフレームにＧＰを挿入することをさらに含む、請求項１に記載の方法（４００）。
【請求項８】
前記ＧＰが、前記第２サブフレームの直後の前記サブフレームが前記ネットワークノードと前記ダウンストリームノードとの間の送信のために使用されないことになっているときに、または前記ネットワークノードから前記アップストリームノードへの送信のために使用されることになっているときに、前記第２サブフレームに挿入される、請求項７に記載の方法（４００）。
【請求項９】
ダウンリンク割当を介して前記ダウンストリームノードに前記ＧＰの前記挿入をシグナリングすることをさらに含む、請求項４から８のいずれか一項に記載の方法（４００）。
【請求項１０】
前記ＧＰが、前記第２サブフレームの端部に挿入される、請求項４から９のいずれか一項に記載の方法（４００）。
【請求項１１】
無線バックホール経路上の送信協調のために構成され、時分割多重方式が前記無線バックホール経路のリンク上の送信に適用される、ネットワークノード（７００）であって、前記無線バックホール経路が、少なくとも前記ネットワークノードならびにそのアップストリームノードおよびダウンストリームノードを備え、前記ネットワークノード（７００）が、
前記ネットワークノード（７００）への送信および前記ネットワークノード（７００）からの送信に対してサブフレーム割付を決定するように設定された決定ユニット（７１０）と、
第１サブフレームの直後のサブフレームからの前記第１サブフレームへの干渉を回避するために、前記決定されたサブフレーム割付に基づいて、前記ダウンストリームノードから前記ネットワークノード（７００）への前記第１サブフレームに保護期間（ＧＰ）を挿入する命令を、前記第１サブフレームの直後のサブフレームが前記ネットワークノードから前記アップストリームノードへの送信のために使用されることになっているときに、前記ダウンストリームノードに送信するように設定された送信ユニット（７２０）と
を備える、ネットワークノード（７００）。
【請求項１２】
コンピュータ可読命令を含むコンピュータプログラムであって、
ネットワークノードであって、少なくとも前記ネットワークノードならびにそのアップストリームノードおよびダウンストリームノードを備える無線バックホール経路上の送信協調のために構成され、時分割多重方式が前記無線バックホール経路のリンク上の送信に適用される、ネットワークノード上で、実行されるときに、前記ネットワークノードに、
前記ネットワークノードへの送信および前記ネットワークノードからの送信に対してサブフレーム割付を決定させ、
第１サブフレームの直後のサブフレームからの前記第１サブフレームへの干渉を回避するために、前記決定されたサブフレーム割付に基づいて、前記ダウンストリームノードから前記ネットワークノードへの前記第１サブフレームに保護期間（ＧＰ）を挿入する命令を、前記第１サブフレームの直後のサブフレームが前記ネットワークノードから前記アップストリームノードへの送信のために使用されることになっているときに、前記ダウンストリームノードに送信させる、コンピュータプログラム。
【発明の詳細な説明】
【技術分野】
【０００１】
本開示は通信技術に関し、より詳細には、無線バックホール経路上の送信協調のための方法およびネットワークノードに関する。
【背景技術】
【０００２】
より高い性能および／またはより低いレイテンシに対する増大する需要を満たすために、Ｌｏｎｇ−Ｔｅｒｍ  Ｅｖｏｌｕｔｉｏｎ（ＬＴＥ）通信システムは絶えず進化する必要がある。ＬＴＥエボリューションに対する利用可能な周波数帯域は、１０ＧＨｚから３０ＧＨｚの範囲に存在し得る。このような高い周波数では経路損失がとても高くなり、カバレッジが制限される。それ故にノードを高密度に導入することが望まれる。このようなシナリオに固定されたバックホールを導入することはかなり困難である。その代わりこのような高周波数帯域におけるスペクトルは豊富なので、バックホールリンクおよびアクセスリンクが同じ周波数を使用する自己バックホール方式を採用することは、とてもコスト効率を良くする。
【０００３】
図１は、このような自己バックホール方式の簡単な例を示す。図１に示されたように、（自己バックホールノードである）中継器１０２は、無線でドナーエボルブドノードＢ（ｅＮＢ：ｄｏｎｏｒ  ｅｖｏｌｖｅｄ  ＮｏｄｅＢ）に接続され、さらにコアネットワーク（ＣＮ：Ｃｏｒｅ  Ｎｅｔｗｏｒｋ）１０６と接続される。中継器１０２とドナーｅＮＢ１０４との間のリンクは、中継器１０２のバックホールリンクまたはドナーｅＮＢ１０４のアクセスリンクと呼ばれる。また中継器１０２は、ユーザ機器（ＵＥ：Ｕｓｅｒ  Ｅｑｕｉｐｍｅｎｔ）１０８をサーブする。ＵＥ１０８から中継器１０２へのリンクは、中継器１０２のアクセスリンクまたはＵＥ１０８のバックホールリンクと呼ばれる。ＵＥ１０８から中継器１０２へ、さらにドナーｅＮＢ１０４への経路は、本明細書では無線バックホール経路と呼ばれてもよい。無線バックホール経路上で、ＣＮ１０６から最も遠いノード（すなわちＵＥ１０８）からＣＮ１０６に最も近いノード（すなわちドナーｅＮＢ１０４）への方向は、本明細書ではアップストリーム方向と呼ばれ、ＣＮ１０６に最も近いノード（すなわちドナーｅＮＢ１０４）から、ＣＮ１０６から最も遠いノード（すなわちＵＥ１０８）への方向は、本明細書ではダウンストリーム方向と呼ばれる。それぞれのノードは、（もしあれば）アクセスリンク上の送信を制御し、（もしあれば）アップストリームノードによって制御されたバックホールリンク上の送信を有する。時分割多重（ＴＤＭ：Ｔｉｍｅ  Ｄｉｖｉｓｉｏｎ  Ｍｕｌｔｉｐｌｅｘｉｎｇ）方式が、アクセスリンクと中継器１０２のバックホールリンクとの間で用いられることをここでは仮定する。以下において中継器１０２に関連した干渉シナリオが、一般性を損なうことなく論じられる。
【０００４】
図２は、図１の中継器１０２に関連した干渉シナリオを示す。図２は、４つの連続的なサブフレーム（ＳＦ：ｓｕｂｆｒａｍｅ）期間＃０〜＃３を示す。図２の破線は、中継器１０２、ドナーｅＮＢ１０４およびＵＥ１０８の間で同期された基準タイミングを示す。図２の網掛けされた棒線はサブフレームを示す。
【０００５】
図２に示されたように、２０１においてドナーｅＮＢ１０４は、ＳＦ期間＃０内にサブフレーム＃０を中継器１０２に送信する。ドナーｅＮＢ１０４と中継器１０２との間の伝搬遅延のために、２０２においてサブフレーム＃０は中継器１０２によって受信される。受信されたサブフレーム＃０の一部がＳＦ期間＃１に割り込んだことが図２からわかる。２０３において中継器１０２は、ＳＦ期間＃１内にサブフレーム＃１をＵＥ１０８に送信する。したがって受信されたサブフレーム＃０のＳＦ期間＃１に割り込んだ部分は、送信されたサブフレーム＃１と重複し、その後サブフレーム＃０と＃１との間の矢印によって示唆されるように、サブフレーム＃１の送信から干渉を被る。
【０００６】
２０４においてＵＥ１０８はサブフレーム＃２を中継器１０２に送信する。サブフレーム＃２は中継器１０２のアクセスリンク上で送信され、したがってその送信タイミングは中継器１０２によって制御される。中継器１０２からのタイミングアドバンス（ＴＡ：Ｔｉｍｉｎｇ  Ａｄｖａｎｃｅ）コマンドに従ってＵＥ１０８は、２０５においてＳＦ期間＃２内に中継器１０２がサブフレーム＃２を受信できるように、ＳＦ期間＃２の基準タイミングに対してＴＡ１の量だけサブフレーム＃２の送信を早める。２０６において中継器１０２はサブフレーム＃３をドナーｅＮＢ１０４に送信する。サブフレーム＃３は中継器１０２のバックホールリンクで送信され、したがってその送信タイミングはドナーｅＮＢ１０４によって制御される。ドナーｅＮＢ１０４からのＴＡコマンドに従って中継器１０２は、２０７においてＳＦ期間＃３内にドナーｅＮＢ１０４がサブフレーム＃３を受信できるように、ＳＦ期間＃３の基準タイミングに対してＴＡ２の量だけサブフレーム＃３の送信を早める。しかしサブフレーム＃３の一部がＳＦ期間＃２に割り込んだことが図２からわかる。したがってサブフレーム＃３のＳＦ期間＃２に割り込んだ部分は、サブフレーム＃２と重複し、その後サブフレーム＃２と＃３との間の矢印によって示唆されるように、サブフレーム＃２の受信に干渉を引き起こす。
【０００７】
このようなＴｘからＲｘへの干渉を解決するために、中継器１０２の基準タイミングを先に延ばすことが提案されてきた。図３は、この提案が図２に示されたシナリオに適用されたときの例示的な状況を示す。図３では、破線３１０がドナーｅＮＢ１０４の基準タイミングを示し、実線３２０が中継器１０２の基準タイミングを示す。基準タイミング３１０と比較すると基準タイミング３２０は、中継器１０２とドナーｅＮＢ１０４との間の伝搬遅延に等しいタイミングオフセットの分だけ先に延ばされている。ドナーｅＮＢ１０４の基準タイミングに対応するＳＦ期間＃０〜＃３に加えて図３は、中継器１０２の基準タイミングに対応するＳＦ期間＃０’〜＃３’を示す。
【０００８】
図３に示されたように、３０１においてドナーｅＮＢ１０４は、ＳＦ期間＃０内にサブフレーム＃０を中継器１０２に送信する。ドナーｅＮＢ１０４と中継器１０２との間の伝搬遅延のために、３０２においてサブフレーム＃０は、中継器１０２によって正確にＳＦ期間＃０’内に受信される。３０３において中継器１０２は、ＳＦ期間＃１’内にサブフレーム＃１をＵＥ１０８に送信する。受信されたサブフレーム＃０が送信されたサブフレーム＃１と重複せず、したがってＴｘからＲｘへの干渉が発生しないことが図３からわかる。すなわち伝搬遅延はタイミングオフセットによって吸収された。
【０００９】
３０４においてＵＥ１０８はサブフレーム＃２を中継器１０２に送信する。サブフレーム＃２は中継器１０２のアクセスリンク上で送信され、したがってその送信タイミングは中継器１０２によって制御される。中継器１０２からのＴＡコマンドに従ってＵＥ１０８は、ＳＦ期間＃２の基準タイミングに対してＴＡ１’の量だけサブフレーム＃２の送信を早め、サブフレーム＃２は３０５において中継器１０２によって受信される。３０６において中継器１０２はサブフレーム＃３をドナーｅＮＢ１０４に送信する。サブフレーム＃３は中継器１０２のバックホールリンク上で送信され、したがってその送信タイミングはドナーｅＮＢ１０４によって制御される。ドナーｅＮＢ１０４からのＴＡコマンドに従って中継器１０２は、３０７においてＳＦ期間＃３内にドナーｅＮＢ１０４がサブフレーム＃３を受信できるように、ＳＦ期間＃３の基準タイミングに対してＴＡ２の量だけサブフレーム＃３の送信を早める。ここで３０５において受信されたサブフレーム＃２が、３０６において送信されたサブフレーム＃３によって干渉されるのを防ぐために、中継器１０２は、ＵＥ１０８に対するＴＡコマンドを決定する際に、ドナーｅＮＢ１０４からのＴＡコマンドを考慮に入れる必要がある。すなわち中継器１０２は、ＴＡ２をＴＡ１に加算することによってＴＡ１’を計算すること、すなわちＴＡ１’＝ＴＡ１＋ＴＡ２を行う必要がある。
【００１０】
しかしマルチホップ無線バックホール経路に適用されるとき、図３のタイミングオフセット方式は問題となる。第１に、経路に沿ったノードが互いに非同期になる。セル間協調送受信（ＣＯＭＰ：Ｃｏｏｒｄｉｎａｔｅｄ  Ｍｕｌｔｉ−Ｐｏｉｎｔ）などの同期に依存するいくつかの拡張機能は、このケースに適用することができない。第２に、図３に関連して論じたように特定のノードでは、経路に沿ったアップストリームノード全ての伝搬遅延がアグリゲートされる。したがってこのノードのアップストリーム送信タイミングは、同期された基準タイミングと比較したとき、余分に早められてもよい。例えばこのケースでは、サーブするＵＥからの任意の物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）メッセージを受信しなくてもよい。第３に、特定のノードは変更されたアップストリームノードを有してもよい。このケースでは、変更された伝搬遅延のためにこのノードの基準タイミングを再調節する必要があり、サーブするＵＥに対して混乱を招きかねない。
【００１１】
上記のＴｘからＲｘへの干渉に加えて、Ｔｘ間の重複に関する問題もあり得る。再び図２を参照すると、２０３において中継器１０２が、ＳＦ期間＃１内にサブフレーム＃１をＵＥ１０８に送信することを思い出されたい。２０４においてＵＥ１０８がサブフレームを中継器１０２に送信する代わりに、中継器１０２がサブフレーム＃２をドナーｅＮＢ１０４に送信することをここで仮定する。このケースでは、サブフレーム＃２は中継器１０２のバックホールリンク上で送信され、したがってその送信タイミングはドナーｅＮＢ１０４によって制御される。ドナーｅＮＢ１０４からのＴＡコマンドに従って中継器１０２は、ＳＦ期間＃２の基準タイミングに対して時間の量だけサブフレーム＃２の送信を早める。それ故に、図のようにサブフレーム＃２の一部がＳＦ期間＃１に割り込んだ。サブフレーム＃１と＃２との間のこのような部分的な重複によって、サブフレーム＃１と＃２との間の矢印によって示唆されたように、これらの合算された送信電力が所定の限界を超えるのを防ぐために、中継器１０２がこれら２つのサブフレームのうちの一方または両方の送信電力を低減することを強いられる可能性がある。図３に示された方式は、この問題を解決できない。
【００１２】
このように無線バックホール経路上のノード間の送信協調を改善する必要がある。
【発明の概要】
【００１３】
本開示は、上記のＴｘからＲｘへの干渉およびＴｘ間の重複のうちの少なくとも１つを除去または少なくとも緩和することができる無線バックホール経路上の送信協調のための方法およびネットワークノードを提供することを目的とする。
【００１４】
第１の態様では、無線バックホール経路上の送信協調のための方法を提供する。無線バックホール経路は、少なくとも１つのネットワークノードならびにそのアップストリームノードおよびダウンストリームノードを備える。方法は、ネットワークノードにおいて、ネットワークノードへの送信およびネットワークノードからの送信に対してサブフレーム割付を決定することと、ダウンストリームノードからネットワークノードへの第１サブフレームの直後のサブフレームからの第１サブフレームへの干渉を回避するために、決定されたサブフレーム割付に基づいて、第１サブフレームに保護期間（ＧＰ：Ｇｕａｒｄ  Ｐｅｒｉｏｄ）を挿入する命令をダウンストリームノードに送信することとを含む。
【００１５】
１つの実施形態では、命令は、第１サブフレームの直後のサブフレームがネットワークノードとダウンストリームノードとの間の送信のために使用されないことになっているときに、送信される。
【００１６】
１つの実施形態では、命令は、第１サブフレームの直後のサブフレームがネットワークノードからアップストリームノードへの送信のために使用されることになっているときに、送信される。
【００１７】
１つの実施形態では、命令は、アップリンクグラントを介して送信される。
【００１８】
１つの実施形態では、命令は、第１サブフレームの端部にＧＰを挿入することをダウンストリームノードに命令する。
【００１９】
１つの実施形態では、方法は、第２サブフレームの直後のサブフレームからの第２サブフレームへの干渉を回避するために、サブフレーム割付に基づいて、ネットワークノードからダウンストリームノードへの第２サブフレームにＧＰを挿入することをさらに含む。
【００２０】
１つの実施形態では、ＧＰは、第２サブフレームの直後のサブフレームがネットワークノードとダウンストリームノードとの間の送信のために使用されないことになっているときに、第２サブフレームに挿入される。
【００２１】
１つの実施形態では、方法は、ダウンストリームノードへの送信およびダウンストリームノードからの送信に対して別のサブフレーム割付を決定することをさらに含む。ＧＰは、第２サブフレームの直後のサブフレームがダウンストリームノードから別のノードへの送信のために使用されることになっているときに、第２サブフレームに挿入される。
【００２２】
１つの実施形態では、方法は、第２サブフレームの直後の、ネットワークノードから送信されたサブフレームとの重複を回避するために、サブフレーム割付に基づいて、ネットワークノードからダウンストリームノードへの第２サブフレームにＧＰを挿入することをさらに含む。
【００２３】
１つの実施形態では、ＧＰは、第２サブフレームの直後のサブフレームがネットワークノードとダウンストリームノードとの間の送信のために使用されないことになっているときに、第２サブフレームに挿入される。
【００２４】
１つの実施形態では、ＧＰは、第２サブフレームの直後のサブフレームがネットワークノードからアップストリームノードへの送信のために使用されることになっているときに、第２サブフレームに挿入される。
【００２５】
１つの実施形態では、方法は、ダウンリンク割当を介してダウンストリームノードにＧＰの挿入をシグナリングすることをさらに含む。
【００２６】
１つの実施形態では、ＧＰは、第２サブフレームの端部に挿入される。
【００２７】
第２の態様では、無線バックホール経路上のネットワークノードを提供する。無線バックホール経路は、少なくともネットワークノードならびにそのアップストリームノードおよびダウンストリームノードを備える。ネットワークノードは、ネットワークノードへの送信およびネットワークノードからの送信に対してサブフレーム割付を決定するように設定された決定ユニットと、ダウンストリームノードからネットワークノードへの第１サブフレームの直後のサブフレームからの第１サブフレームへの干渉を回避するために、決定されたサブフレーム割付に基づいて、第１サブフレームに保護期間（ＧＰ）を挿入する命令をダウンストリームノードに送信するように設定された送信ユニットとを備える。
【００２８】
第３の態様では、無線バックホール経路上のネットワークノードを提供する。無線バックホール経路は、少なくともネットワークノードならびにそのアップストリームノードおよびダウンストリームノードを備える。ネットワークノードは、送受信機、プロセッサおよびメモリを備え、前記メモリは前記プロセッサによって実行可能な命令を含み、それによって前記ネットワークノードに、ネットワークノードへの送信およびネットワークノードからの送信に対してサブフレーム割付を決定させ、ダウンストリームノードからネットワークノードへの第１サブフレームの直後のサブフレームからの第１サブフレームへの干渉を回避するために、決定されたサブフレーム割付に基づいて、第１サブフレームに保護期間（ＧＰ）を挿入する命令をダウンストリームノードに送信させるように動作可能である。
【００２９】
第４の態様では、コンピュータプログラムを提供する。コンピュータプログラムは、コンピュータ可読命令を含み、これにより、少なくともネットワークノードならびにそのアップストリームノードおよびダウンストリームノードを備える無線バックホール経路上のネットワークノード上で実行されるときに、ネットワークノードに、ネットワークノードへの送信およびネットワークノードからの送信に対してサブフレーム割付を決定させ、ダウンストリームノードからネットワークノードへの第１サブフレームの直後のサブフレームからの第１サブフレームへの干渉を回避するために、決定されたサブフレーム割付に基づいて、第１サブフレームに保護期間（ＧＰ）を挿入する命令をダウンストリームノードに送信させる。
【００３０】
第５の態様では、コンピュータプログラムストレージ製品を提供する。コンピュータプログラムストレージ製品は、上記第４の態様によるコンピュータプログラムを格納するコンピュータ可読ストレージ手段を含む。
【００３１】
また第１の態様の上記実施形態は、第２、第３、第４および第５の態様に対して適用可能でもある。
【００３２】
本開示の実施形態によってＴｘからＲｘへの干渉は、サブフレーム割付に基づいてサブフレームにＧＰを挿入することによって除去または少なくとも緩和することができるが、基準タイミングの同期は無線バックホール経路に沿ったノード間で維持することができる。このような同期には、ＣＯＭＰなどの拡張機能のアプリケーションを考慮に入れている。また経路に沿ったアップストリームノードの伝搬遅延はダウンストリームノードにおいてアグリゲートされず、それによってダウンストリームノードのアップストリーム送信タイミングが、同期された基準タイミングに対して余分に早められるのを防ぐ。さらに本開示のいくつかの実施形態では、Ｔｘ間の重複は、２つの連続して送信されたサブフレームのうちの一方または両方の送信電力を低減する必要がないように、除去または少なくとも緩和することができる。
【００３３】
上記および他の目的、特性および利点は、図を参照することによって実施形態に関する以下の説明からより明白となるであろう。
【図面の簡単な説明】
【００３４】
【図１】自己バックホール方式の例を示す概略図である。
【図２】図１の中継器に関連した干渉シナリオを示す概略図である。
【図３】タイミングオフセット方式が図２に示されたシナリオに適用されたときの例示的な状況を示す概略図である。
【図４】本開示の１つの実施形態による送信協調のための方法を示す流れ図である。
【図５】図４の方法を適用することができる例示的なシナリオを示す概略図である。
【図６】図４の方法を図２に示されたシナリオに適用するときの例示的な状況を示す概略図である。
【図７】本開示の１つの実施形態によるネットワークノードのブロック図である。
【図８】本開示の別の実施形態によるネットワークノードのブロック図である。
【発明を実施するための形態】
【００３５】
本開示の実施形態は図面を参照することによって以下に詳述される。以下の実施形態は単に例示的なものであり、本開示の範囲を限定するものではないということに留意されたい。
【００３６】
図４は、本開示の１つの実施形態による送信協調のための方法４００を示す流れ図である。方法４００は、少なくともネットワークノードならびにそのアップストリームノードおよびダウンストリームノードを含む無線バックホール経路上のネットワークノードにおいて実施される。
【００３７】
図５は、方法４００を適用することができる例示的なシナリオを示す。図５に示された例では、方法４００は無線バックホール経路上のノード５００において実施される。さらに経路は、ノード５００のアップストリームノード（ＵＳＮ）５０２およびダウンストリームノード（ＤＳＮ）５０４を含む。ＵＳＮ５０２は、場合によっては１つまたは複数のさらなるアップストリームノードを介して、ＣＮ５１０に接続される。オプションとしてＤＳＮ５０４は、ここで５０６と示されたそのダウンストリームノードを有してもよい。無線バックホール経路は、ＵＳＮ５０２への１つまたは複数のさらなるアップストリームノード、またはＤＳＮ５０４への１つまたは複数のさらなるダウンストリームノードをさらに含んでもよいことが当業者によって理解されよう。例えばＧＰＳに基づいた、または同期信号に基づいた（例えばＬＴＥ内の一次同期信号（ＰＳＳ：Ｐｒｉｍａｒｙ  Ｓｙｎｃｈｒｏｎｉｚａｔｉｏｎ  Ｓｉｇｎａｌ）および／または二次同期信号（ＳＳＳ：Ｓｅｃｏｎｄａｒｙ  Ｓｙｎｃｈｒｏｎｉｚａｔｉｏｎ  Ｓｉｇｎａｌ）に基づいた）同期方式を利用して、経路上のノード全てが同期されたことをここで仮定する。すなわちノード全てが、これらの個々のアクセスリンク上でダウンストリームのサブフレームを同時に送信し、アップストリームのサブフレームを同時に受信する。またサブフレームの送信が時分割多重されることも仮定する。
【００３８】
ステップＳ４１０においてノード５００は、（以下に「ノード５００に対するサブフレーム割付」と呼ばれる）５００への送信および５００からの送信に対してサブフレーム割付を決定する。ここでノード５００は、そのアクセスリンク（すなわちリンク「２Ｄ」として示されたノード５００からＤＳＮ５０４へのリンク、およびリンク「２Ｕ」として示されたＤＳＮ５０４からノード５００へのリンク）上の送信に対してサブフレーム割付を決定する。さらにネットワークノード５００は、そのバックホールリンク（すなわちリンク「１Ｕ」として示されたノード５００からＵＳＮ５０２へのリンク、およびリンク「１Ｄ」として示されたＵＳＮ５０２からノード５００へのリンク）上の送信に対して、例えばＵＳＮ５０２からサブフレーム割付の指示を受信することによって、サブフレーム割付をさらに決定してもよい。本明細書で使用されるように、リンク上の送信に対するサブフレーム割付は、どの１つのサブフレーム／複数のサブフレームがリンク上の送信に対して使用されるか、および場合によってはサブフレームの方向（すなわちアップストリームまたはダウンストリーム）を示唆する。
【００３９】
ステップＳ４２０においてノード５００は、第１サブフレームの直後のサブフレームからの第１サブフレームへの干渉（ＴｘからＲｘへの干渉）を回避するために、ノード５００に対するサブフレーム割付に基づいて、ＤＳＮ５０４からノード５００への第１サブフレームに保護期間（ＧＰ）を挿入する命令をＤＳＮ５０４に送信する。
【００４０】
１つの実施形態では、ステップＳ４２０においてノード５００が、第１サブフレームがＤＳＮ５０４からノード５００への送信に対して（すなわちリンク２Ｕ上で）使用されることになっていること、および第１サブフレームの直後のサブフレームがノード５００からＵＳＮ５０２への送信に対して（すなわちリンク１Ｕ上で）使用されることになっていることを、ノード５００に対するサブフレーム割付から決定するとき、ノード５００は、ノード５００で第１サブフレームの受信が第１サブフレームの直後のサブフレームの送信によって干渉されるのを防ぐために、第１サブフレームにＧＰを挿入する命令をＤＳＮ５０４に送信する。
【００４１】
あるいはノード５００が、第１サブフレームの直後のサブフレームがリンク１Ｕ上で使用されることになっているか否かがノード５００に対するサブフレーム割付からわからない（例えばそのバックホールリンク上の送信に対するサブフレーム割付を知らない）が、第１サブフレームの直後のサブフレームがノード５００とＤＳＮ５０４との間の送信のために使用されないことになっていることを、そのアクセスリンク上の送信に対してサブフレーム割付から決定するとき、ノード５００は、第１サブフレームの直後のサブフレームがリンク１Ｕ上で使用されることになっていることを推定し、第１サブフレームの受信への干渉が生じる恐れを回避するために第１サブフレームにＧＰを挿入する命令をＤＳＮ５０４に送信する。
【００４２】
１つの例では、命令は、アップリンクグラントを介して送信することができる。
【００４３】
１つの例では、命令は、（例えば第１サブフレームの最後の１つまたは２つの直交周波数分割多重（ＯＦＤＭ）シンボルを無効にすることによって）第１サブフレームの端部にＧＰを挿入することをＤＳＮ５０４に命令する。
【００４４】
ＤＳＮ５０４がダウンストリームノード５０６を有するケースでは、方法４００は、第２サブフレームの直後のサブフレームからの第２サブフレームへの干渉（ＴｘからＲｘへの干渉）を回避するために、サブフレーム割付に基づいて、ノード５００からＤＳＮ５０４への第２サブフレームにＧＰを挿入するステップをさらに含んでもよい。
【００４５】
このケースでは、方法４００は、（以下に「ＤＳＮ５０４に対するサブフレーム割付」と呼ばれる）ＤＳＮ５０４への送信およびＤＳＮ５０４からの送信に対して、例えばＤＳＮ５０４からのＤＳＮ５０４に対するサブフレーム割付の指示を受信することによって、別のサブフレーム割付を決定するステップをさらに含んでもよい。ノード５００が、第２サブフレームがノード５００からＤＳＮ５０４への送信に対して（すなわちリンク２Ｄ上で）使用されることになっていることをノード５００に対するサブフレーム割付から決定し、第２サブフレームの直後のサブフレームがＤＳＮ５０４からノード５０６への送信に対して（すなわちリンク３Ｄ上で）使用されることになっていることをＤＳＮ５０４に対するサブフレーム割付から決定するとき、ノード５００は、ＤＳＮ５０４で第２サブフレームの受信が第２サブフレームの直後のサブフレームの送信によって干渉されるのを防ぐために、第２サブフレームにＧＰを挿入する。
【００４６】
あるいはノード５００が、第２サブフレームの直後のサブフレームがリンク３Ｄ上で使用されることになっているか否かがわからない（例えばＤＳＮ５０４に対するサブフレーム割付を知らない）が、第２サブフレームの直後のサブフレームがノード５００とＤＳＮ５０４との間の送信のために使用されないことになっている（およびノード５００がバックホールリンク上のサブフレーム割付を知っている場合、ノード５００とＵＳＮ５０２との間の送信のために使用されないことになっている）ことをノード５００に対するサブフレーム割付から決定するとき、ノード５００は、第２サブフレームの直後のサブフレームがリンク３Ｄ上で使用されることになっていることを推定し、第２サブフレームの受信への干渉が生じる恐れを回避するために第２サブフレームにＧＰを挿入する。
【００４７】
１つの例では、ＧＰが第２サブフレームに挿入されるとき、ノード５００はダウンリンク割当を介してＤＳＮ５０４にＧＰの挿入をシグナリングする。
【００４８】
１つの例では、ノード５００は（例えば第２サブフレームの最後の１つまたは２つのＯＦＤＭシンボルを無効にすることによって）第２サブフレームの端部にＧＰを挿入する。
【００４９】
別の例では、ノード５００は、第２サブフレームの直後の、ネットワークノードから送信されたサブフレームとの重複（Ｔｘ間の重複）を回避するために、ノード５００に対するサブフレーム割付に基づいて、ノード５００からＤＳＮ５０４への第２サブフレームにＧＰを挿入することができる。
【００５０】
このケースでは、ノード５００が、第２サブフレームがノード５００からＤＳＮ５０４への送信に対して（すなわちリンク２Ｄ上で）使用されることになっていること、および第２サブフレームの直後のサブフレームがノード５００からＵＳＮ５０２への送信に対して（すなわちリンク１Ｕ上で）使用されることになっていることをノード５００に対するサブフレーム割付から決定するとき、ノード５００は、第２サブフレームと第２サブフレームの直後のサブフレームとが互いに重複するのを防ぐために、第２サブフレームにＧＰを挿入してもよい。
【００５１】
あるいはノード５００が第２サブフレームの直後のサブフレームがリンク１Ｕ上で使用されることになっているか否かがわからない（例えばそのバックホールリンク上の送信に対するサブフレーム割付を知らない）が、第２サブフレームの直後のサブフレームがノード５００とＤＳＮ５０４との間の送信のために使用されないことになっていることをアクセスリンク上の送信に対してサブフレーム割付から決定するとき、ノード５００は、第２サブフレームの直後のサブフレームがリンク１Ｕ上で使用されることになっていることを推定してもよく、第２サブフレームの直後のサブフレームとの第２サブフレームの重複が生じる恐れを回避するために、第２サブフレームにＧＰを挿入してもよい。
【００５２】
それに応じてＧＰが第２サブフレームに挿入されるとき、ノード５００はダウンリンク割当を介してＤＳＮ５０４にＧＰの挿入をシグナリングしてもよい。ＧＰは、第２サブフレームの端部に挿入することができる。
【００５３】
次に方法４００を、方法４００が図２に示されたシナリオに適用されるときの例示的な状況を示す図６を参照することによって説明する。図６に示された状況では、方法４００はドナーｅＮＢ１０４および中継器１０２のそれぞれに適用される。
【００５４】
図６では、ＳＦ期間＃０は、ドナーｅＮＢ１０４から中継器１０２へのサブフレーム＃０の送信に対して割り付けられる。ＳＦ期間＃１は、中継器１０２からＵＥ１０８へのサブフレーム＃１の送信に対して割り付けられる。ＳＦ期間＃２は、ＵＥ１０８から中継器１０２へのサブフレーム＃２の送信に対して割り付けられる。ＳＦ期間＃３は、中継器１０２からドナーｅＮＢ１０４へのサブフレーム＃３の送信に対して割り付けられる。
【００５５】
６０１においてドナーｅＮＢ１０４は、サブフレーム＃０がドナーｅＮＢ１０４から中継器１０２への送信に対して使用されることになっており、サブフレーム＃１が中継器１０２からＵＥ１０８への送信に対して使用されることになっていることを決定する。中継器１０２でサブフレーム＃０の受信がサブフレーム＃１の送信によって干渉されるのを防ぐために、ドナーｅＮＢ１０４はサブフレーム＃０にＧＰを挿入し（例えば斜線部分によって示唆されるように、サブフレーム＃０の端部の一部を無効にし）、ＳＦ期間＃０内にサブフレーム＃０を中継器１０２に送信する。ドナーｅＮＢ１０４と中継器１０２との間の伝搬遅延のために、６０２においてサブフレーム＃０は、中継器１０２によって受信される。６０３において中継器１０２は、ＳＦ期間＃１内にサブフレーム＃１をＵＥ１０８に送信する。サブフレーム＃０のＳＦ期間＃１に割り込んだ部分が無効にされたこと、したがってサブフレーム＃１の送信によって干渉されないことが図６からわかる。中継器１０２におけるＴｘからＲｘへの干渉を完全に除去できるように、ＧＰの時間の長さが伝搬遅延の時間の長さより大きいかまたは等しいことが好ましい。しかしＧＰがサブフレーム＃０に挿入される限り、中継器１０２におけるＴｘからＲｘへの干渉は、少なくとも緩和することができる。
【００５６】
次に中継器１０２は、サブフレーム＃２がＵＥ１０８から中継器１０２への送信に対して使用されることになっていること、およびサブフレーム＃３が中継器１０２からドナーｅＮＢ１０４への送信に対して使用されることになっていることを決定する。中継器１０２においてサブフレーム＃２の受信がサブフレーム＃３の送信によって干渉されるのを防ぐために中継器１０２は、サブフレーム＃２にＧＰを挿入することをＵＥ１０８に命令し（例えば斜線部分によって示唆されるように、サブフレーム＃２の端部の一部を無効にし）、中継器１０２からのＴＡコマンドに従ってサブフレーム＃２を中継器１０２に送信する。６０４においてＵＥ１０８は、サブフレーム＃２にＧＰを挿入し、サブフレーム＃２を中継器１０２に送信する。中継器１０２からのＴＡコマンドに従ってＵＥ１０８は、６０５においてＳＦ期間＃２内に中継器１０２がサブフレーム＃２を受信できるように、ＳＦ期間＃２の基準タイミングに対してＴＡ１の量だけサブフレーム＃２の送信を早める。６０６において中継器１０２は、サブフレーム＃３をドナーｅＮＢ１０４に送信する。ドナーｅＮＢ１０４からのＴＡコマンドに従って中継器１０２は、６０７においてＳＦ期間＃３内にドナーｅＮＢ１０４がサブフレーム＃３を受信できるように、ＳＦ期間＃３の基準タイミングに対してＴＡ２の量だけサブフレーム＃３の送信を早める。サブフレーム＃３のＳＦ期間＃２に割り込んだ部分が無効にされ、したがってサブフレーム＃２の受信への干渉を引き起こさないことが図６からわかる。ＧＰの時間の長さは、中継器１０２におけるＴｘからＲｘへの干渉を完全に除去できるように、ＴＡ２より大きいかまたは等しいことが好ましい。しかしＧＰがサブフレーム＃２に挿入される限り、中継器１０２におけるＴｘからＲｘへの干渉は、少なくとも緩和することができる。
【００５７】
さらに再度図６を参照すると、６０３において中継器１０２が、ＳＦ期間＃１内にサブフレーム＃１をＵＥ１０８に送信することを思い出されたい。６０４においてＵＥ１０８がサブフレームを中継器１０２に送信する代わりに、中継器１０２がサブフレーム＃２をドナーｅＮＢ１０４に送信することをここで仮定する。このケースでは、サブフレーム＃１と＃２の送信が互いに重複するのを防ぐために、中継器１０２はサブフレーム＃１にＧＰを挿入することができる。ドナーｅＮＢ１０４からのＴＡコマンドに従って中継器１０２は、例えばＳＦ期間＃２の基準タイミングに対して時間の量だけサブフレーム＃２の送信を早める。ＧＰの時間の長さが時間の量より大きいかまたは等しい場合、サブフレーム＃１と＃２との間の重複は、完全に回避することができる。しかしＧＰがサブフレーム＃１に挿入される限り、中継器１０２におけるＴｘ間の重複は、少なくとも緩和することができる。
【００５８】
上述のように方法４００に対応して、ネットワークノードが提供される。図７は、無線バックホール経路上の送信協調のためのネットワークノード７００のブロック図である。無線バックホール経路は、少なくともネットワークノード７００ならびにそのアップストリームノードおよびダウンストリームノードを備える。ネットワークノード７００は中継器またはドナーｅＮＢであってもよい。
【００５９】
図７に示されたようにネットワークノード７００は、ネットワークノードへの送信およびネットワークノードからの送信に対してサブフレーム割付を決定するように設定された決定ユニット７１０を含む。ネットワークノード７００は、ダウンストリームノードからネットワークノードへの第１サブフレームの直後のサブフレームからの第１サブフレームへの干渉を回避するために、決定されたサブフレーム割付に基づいて、第１サブフレームに保護期間（ＧＰ）を挿入する命令をダウンストリームノードに送信するように設定された送信ユニット７２０をさらに含む。
【００６０】
１つの実施形態では、命令は、第１サブフレームの直後のサブフレームがネットワークノードとダウンストリームノードとの間の送信のために使用されないことになっているときに、送信される。
【００６１】
１つの実施形態では、命令は、第１サブフレームの直後のサブフレームがネットワークノードからアップストリームノードへの送信に対して使用されることになっているときに、送信される。
【００６２】
１つの実施形態では、命令は、アップリンクグラントを介して送信される。
【００６３】
１つの実施形態では、命令は、第１サブフレームの端部にＧＰを挿入することをダウンストリームノードに命令する。
【００６４】
１つの実施形態では、ネットワークノード７００は、第２サブフレームの直後のサブフレームからの第２サブフレームへの干渉を回避するために、サブフレーム割付に基づいて、ネットワークノードからダウンストリームノードへの第２サブフレームにＧＰを挿入するように設定された挿入ユニットをさらに備える（図示せず）。
【００６５】
１つの実施形態では、ＧＰは、第２サブフレームの直後のサブフレームがネットワークノードとダウンストリームノードとの間の送信のために使用されないことになっているときに、第２サブフレームに挿入される。
【００６６】
１つの実施形態では、決定ユニット７１０は、ダウンストリームノードへの送信およびダウンストリームノードからの送信に対して別のサブフレーム割付を決定するように設定される。挿入ユニットは、第２サブフレームの直後のサブフレームがダウンストリームノードから別のノードへの送信のために使用されることになっているときに、第２サブフレームにＧＰを挿入するように設定される。
【００６７】
１つの実施形態では、ネットワークノード７００は、ネットワークノードからアップストリームノードへの第２サブフレームの直後の、ネットワークノードから送信されたサブフレームとの重複を回避するために、サブフレーム割付に基づいて、ネットワークノードからダウンストリームノードへの第２サブフレームにＧＰを挿入するように設定された挿入ユニットをさらに備える（図示せず）。
【００６８】
１つの実施形態では、ＧＰは、第２サブフレームの直後のサブフレームがネットワークノードとダウンストリームノードとの間の送信のために使用されないことになっているときに、第２サブフレームに挿入される。
【００６９】
１つの実施形態では、ＧＰは、第２サブフレームの直後のサブフレームがネットワークノードからアップストリームノードへの送信に対して使用されることになっているときに、第２サブフレームに挿入される。
【００７０】
１つの実施形態では、送信ユニット７２０は、ダウンリンク割当を介してダウンストリームノードにＧＰの挿入をシグナリングするようにさらに設定される。
【００７１】
１つの実施形態では、ＧＰは、第２サブフレームの端部に挿入される。
【００７２】
ユニット７１０〜７２０のそれぞれは、純粋なハードウェアソリューションとして、あるいは、例えばプロセッサもしくはマイクロプロセッサと適切なソフトウェアおよびソフトウェアを格納するためのメモリ、プログラマブルロジックデバイス（ＰＬＤ：Ｐｒｏｇｒａｍｍａｂｌｅ  Ｌｏｇｉｃ  Ｄｅｖｉｃｅ）、または上述され、例えば図４に示されたアクションを実施するように設定された他の電子部品もしくは処理回路のうちの１つまたは複数によるソフトウェアとハードウェアの組合せとして実装されてもよい。
【００７３】
図８は、本開示の別の実施形態による無線バックホール経路上の送信協調のためのネットワークノード８００のブロック図である。無線バックホール経路は、少なくともネットワークノード８００およびそのアップストリームノードおよびダウンストリームノードを備える。ネットワークノード８００は中継器またはドナーｅＮＢであってもよい。
【００７４】
ネットワークノード８００は、送受信機８１０、プロセッサ８２０およびメモリ８３０含む。メモリ８３０はプロセッサ８２０によって実行可能な命令を含み、それによってネットワークノード８００は、ネットワークノードへの送信およびネットワークノードからの送信に対してサブフレーム割付を決定し、ダウンストリームノードからネットワークノードへの第１サブフレームの直後のサブフレームからの第１サブフレームへの干渉を回避するために、決定されたサブフレーム割付に基づいて、第１サブフレームに保護期間（ＧＰ）を挿入する命令をダウンストリームノードに送信するように動作可能である。
【００７５】
また本開示は不揮発性または揮発性メモリ、例えば電気的消去可能プログラマブルリードオンリメモリ（ＥＥＰＲＯＭ）、フラッシュメモリおよびハードドライブの形式で、少なくとも１つのコンピュータプログラムストレージ製品を提供する。コンピュータプログラムストレージ製品は、コンピュータプログラムを含む。コンピュータプログラムはコード／コンピュータ可読命令を含み、それによって、プロセッサ８２０によって実行されるとき、ネットワークノード８００は、例えば図４と共に以前に説明されたプロシージャに関するアクションを実施する。
【００７６】
コンピュータプログラムストレージ製品は、コンピュータプログラムモジュール内に構造化されたコンピュータプログラムコードとして設定されてもよい。コンピュータプログラムモジュールは、図４に示されたフローのアクションを実質的に実施することもあり得る。
【００７７】
プロセッサは単一のＣＰＵ（中央処理装置）でもよいが、２つ以上の処理装置を備えることもあり得る。例えばプロセッサは、汎用マイクロプロセッサ、命令セットプロセッサおよび／もしくは関連チップセット、ならびに／または特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）などの専用マイクロプロセッサを含んでもよい。またプロセッサはキャッシュ用のボードメモリを含んでもよい。コンピュータプログラムは、プロセッサに接続されたコンピュータプログラムストレージ製品によって搬送されてもよい。コンピュータプログラムストレージ製品は、コンピュータプログラムが格納されたコンピュータ可読媒体を備えてもよい。例えばコンピュータプログラムストレージ製品は、フラッシュメモリ、ランダムアクセスメモリ（ＲＡＭ：Ｒａｎｄｏｍ−ａｃｃｅｓｓ  ｍｅｍｏｒｙ）、リードオンリメモリ（ＲＯＭ：Ｒｅａｄ−Ｏｎｌｙ  Ｍｅｍｏｒｙ）またはＥＥＰＲＯＭでもよく、代替実施形態では、上述のコンピュータプログラムモジュールは異なるコンピュータプログラムストレージ製品にメモリの形式で分散されることもあり得る。
【００７８】
本開示は、その実施形態を参照することによって上記で説明されてきた。様々な修正、変更および追加は本開示の精神および範囲から逸脱することなく、当業者によってなされてもよいということを理解されたい。したがって本開示の範囲は、上記の特定の実施形態に限定されないが、添付の通り特許請求の範囲によってのみ規定される。
【図１】
0006469239.tif 000002
【図２】
0006469239.tif 000003
【図３】
0006469239.tif 000004
【図４】
0006469239.tif 000005
【図５】
0006469239.tif 000006
【図６】
0006469239.tif 000007
【図７】
0006469239.tif 000008
【図８】
0006469239.tif 000009